(57)【要約】【課題】開閉扉について、パチンコ球によって表示が損傷されることなく、開位置に位置する状態でも遊技者に対して興趣を与えることができるようにする。【解決手段】遊技盤に対して取り付けられる基板部５１と、基板部５１に形成された開口部５２と、開口部５２の下側に位置する回動軸を中心に、開口部５２を閉じる閉位置と、その先端部が遊技盤よりも手前側に位置して開口部５２を開く開位置との間を揺動可能に配設される開閉扉６０とを有し、開閉扉６０は、透視性を有し、閉位置に位置する際には第１面６０Ａの側が遊技者によって視認され、開位置に位置する際には第２面６０Ｂが上側の面となり遊技者によって視認されるものであり、面状をなし、そのおもて面の側に第１表示１０５Ａがされ、その裏面の側に第２表示１０５Ｂがされた表示部材１００が、その裏面において開閉扉６０の第１面６０Ａに貼着されている。【選択図】図２
2006239161.tif 000002
【特許請求の範囲】
【請求項１】
遊技盤に対して取り付けられる基板部と、
前記基板部に形成された開口部と、
前記開口部の下側に位置する回動軸を中心に、前記開口部を閉じる閉位置と、その先端部が前記遊技盤よりも手前側に位置して前記開口部を開く開位置との間を揺動可能に配設される開閉扉とを有し、
前記開閉扉は、透視性を有し、前記閉位置に位置する際における外側の面である第１面及びその反対側の面である第２面を有し、当該開閉扉が前記閉位置に位置する際には前記第１面の側が遊技者によって視認され、当該開閉扉が前記開位置に位置する際には前記第２面が上側の面となり遊技者によって視認されるものであり、
面状をなし、そのおもて面の側に第１表示がされ、その裏面の側に第２表示がされた表示部材が、その裏面において前記開閉扉の前記第１面に対して貼着されている、
パチンコ機の入賞装置。
【請求項２】
請求項１に記載のパチンコ機の入賞装置であって、
前記表示部材は、そのおもて面の側からは前記第２表示が透視されず、その裏面の側からは前記第１表示が透視されないものである、
パチンコ機の入賞装置。
【発明の詳細な説明】
【技術分野】
【０００１】
本発明は、パチンコ機における入賞装置に関するものである。
【背景技術】
【０００２】
多くのパチンコ機においては、遊技盤のほぼ中央に役物（センター役物）が設けられ、その下方には始動入賞口が設けられ、その下方には大入賞口（入賞装置）が設けられている。
遊技盤上を転動したパチンコ球が始動入賞口に入ると、センター役物の表示部における図柄が所定の時間変動表示され、その後、最終的な図柄が静止表示される。静止表示された図柄には「当たり」と「はずれ」とがあり、「当たり」の場合には、大入賞口が所定の回数開くようにされている。それによって、大入賞口（入賞装置）に複数のパチンコ球が入る（入賞する）ことが可能となり、その入賞に伴って、多数のパチンコ球が賞球として賞球払い出し装置から払い出される。
【０００３】
一般的に、入賞装置は、遊技盤のおもて面に対して取り付けられる基板部を有し、基板部に形成された開口部に対して、開閉扉が開閉可能に設けられている。
開閉扉は、開口部よりも下方に位置する回動軸を中心に、その先端部が基板部とほぼ同一の奥行方向位置に位置して開口部を閉じる閉位置（開閉扉のうちの第１面が遊技者によって視認される）と、その先端部が前記基板部よりも手前側に位置して開口部を開く開位置（開閉扉のうちの第２面が遊技者によって視認される）との間を揺動する。
【０００４】
そして、従来の入賞装置には、遊技者に対して興趣を与えるために、開閉扉に装飾がされているものもある。
しかしながら、それは、開閉扉の第１面（閉位置に位置する状態における外側の面）に装飾シートが貼着されているものであり、開位置に位置する状態では、その装飾は下側の面に位置することとなり（第１面とは反対側の面である第２面が上側に位置する）、遊技者が視認することができない。
【０００５】
そこで、特許文献１には、その点を考慮して、開閉扉の両面（第１面，第２面）に装飾シート（第１面用装飾シート，第２面用装飾シート）が貼着された入賞装置が開示されている。
これによって、開閉扉が閉位置に位置する状態では、開閉扉の第１面に貼着された第１面用装飾シートが遊技者によって視認され、開閉扉が開位置に位置する状態では、開閉扉の第２面に貼着された第２面用装飾シートが遊技者によって視認される。
【０００６】
特許文献１に開示された入賞装置では、上述のように、開閉扉の第２面に第２面用装飾シートが貼着されている。
しかしながら、開閉扉の第２面は、開閉扉が開位置に位置する状態における上面であり、その入賞装置が開状態（その開閉扉が開位置に位置する状態）において、その入賞装置内に入ろうとする多数のパチンコ球が、その第２面の上を転動する。
このため、第２面に貼着された第２面用装飾シート（その表示）が徐々に損傷していき、逆に見苦しい状態となってしまう。
【特許文献１】特開２００４−６５３７７公報
【発明の開示】
【発明が解決しようとする課題】
【０００７】
本発明は、開閉扉について、パチンコ球によって表示が損傷されることなく、開位置に位置する状態でも、遊技者に対して興趣を与えることができるようにすることを目的とする。
【課題を解決するための手段】
【０００８】
上記の目的を達成するために、請求項１に係る発明は、遊技盤に対して取り付けられる基板部と、前記基板部に形成された開口部と、前記開口部の下側に位置する回動軸を中心に、前記開口部を閉じる閉位置と、その先端部が前記遊技盤よりも手前側に位置して前記開口部を開く開位置との間を揺動可能に配設される開閉扉とを有し、前記開閉扉は、透視性を有し、前記閉位置に位置する際における外側の面である第１面及びその反対側の面である第２面を有し、当該開閉扉が前記閉位置に位置する際には前記第１面の側が遊技者によって視認され、当該開閉扉が前記開位置に位置する際には前記第２面が上側の面となり遊技者によって視認されるものであり、面状をなし、そのおもて面の側に第１表示がされ、その裏面の側に第２表示がされた表示部材が、その裏面において前記開閉扉の前記第１面に対して貼着されている、パチンコ機の入賞装置である。
【０００９】
ここで、「透視性」とは向こう側が透けて見えることをいい、透明の場合に限らず、半透明の場合もあり得る。また、開閉扉の全ての部分が透視性を有しているという態様に限らず、第２表示に対応する部分のみが透視性を有しているという態様も含まれる。
「第１表示」及び「第２表示」の各表示については、文字による表示，図柄による表示，両者の組み合わせによる表示等がある。
【００１０】
この発明のパチンコ機の入賞装置では、開閉扉が閉位置に位置する状態においては、その開閉扉の第１面の側が遊技者によって視認されるのであり、表示部材（開閉扉の第１面に貼着されている）のうちの第１表示が、遊技者によって視認される。
一方、開閉扉が開位置に位置する状態においては、開閉扉の第２面の側が遊技者によって視認されるのであり、開閉扉と表示部材との間に非透視性を有する部材が介装されていない限り、その開閉扉（透視性を有している）を通して、表示部材（開閉扉の第１面に貼着されている）の第２表示が、遊技者によって視認される。
このため、開閉扉が閉位置に位置する状態においても、開位置に位置する状態においても、各表示によって遊技者に対して興趣を与えることができる。
【００１１】
また、この発明のパチンコ機の入賞装置では、表示部材が開閉扉の第１面に貼着されており、その開閉扉が開位置に位置する状態では、開閉扉の第２面が上側の面となって、表示部材が貼着されている第１面は下側の面になる。
このため、開閉扉が開位置に位置する状態で、その入賞装置に入賞しようとするパチンコ球は、第２面の上を転動するのであって、第１面の上を転動しないため、そのパチンコ球によって表示部材（その表示）が損傷することがない。
【００１２】
請求項２に係る発明は、請求項１に係る発明のパチンコ機の入賞装置であって、前記表示部材は、そのおもて面の側からは前記第２表示が透視されず、その裏面の側からは前記第１表示が透視されないものである、パチンコ機の入賞装置である。
【００１３】
この発明のパチンコ機の入賞装置では、請求項１に係る発明のパチンコ機の入賞装置の作用及び効果に加えて、次の作用及び効果が得られる。
すなわち、表示部材は、そのおもて面の側からは第２表示が透視されず、その裏面の側からは第１表示が透視されないものであるため、開閉扉が閉位置に位置する状態では、第１表示のみが遊技者によって視認され、第２表示は視認されず、開閉扉が開位置に位置する状態では、第２表示のみが遊技者によって視認され、第１表示は視認されない。
このように、各状態において、両表示が重なって視認されることはないため、各状態において各表示が明確に視認され得る。
【発明を実施するための最良の形態】
【００１４】
次に、本発明の一実施形態について、図面に基づいて説明する。
まず、パチンコ機の一例について、その概略を説明する。
図１に示すように、このパチンコ機は筐体１０を有し、筐体１０の内部には、ほぼ鉛直な遊技盤１１が配設されている。遊技盤１１の手前側には、ガラス窓１２が設けられている。ガラス窓１２（遊技盤１１）の下方には、ハンドル１４や賞球払い出し装置（図示省略）が設けられている。
【００１５】
遊技盤１１には、外側レール１５及び内側レール１６が設けられており、内側レール１６の内側が遊技領域（符号省略）とされている。そして、遊技者がハンドル１４を操作することによって発射されたパチンコ球は、遊技領域へと導かれる。
【００１６】
遊技盤１１（遊技領域）には、多数の釘（図示省略）や風車２６が設けられているとともに、複数の普通入賞口２４が設けられている。普通入賞口２４にパチンコ球が入った場合には、例えば１５個のパチンコ球が賞球として賞球払い出し装置から払い出される。
【００１７】
遊技盤１１のほぼ中央にはセンター役物２０が設けられている。センター役物２０には、表示部（符号省略）が設けられている。センター役物２０の下方には始動入賞口２２が設けられ、その下方には入賞装置（大入賞口）３０（図２も参照）が設けられている。
そして、始動入賞口２２にパチンコ球が入る（これを入賞という）と、センター役物２０の表示部における図柄が所定の時間変動表示され、その後、最終的な図柄が静止表示される。静止表示された図柄には「当たり」と「はずれ」とがあり、「当たり」の場合（例えば「７７７」）には、入賞装置（大入賞口）３０が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。
【００１８】
次に、入賞装置３０について、詳しく説明する。
図３に示すように、入賞装置３０は、ベース部材４０，前板部材５０，開閉扉６０，ステージ形成部材７０，上蓋部材８０等を有しており、それらが結合されて形成されている（図２も参照）。
【００１９】
ベース部材４０は、底板部４１を有している。底板部４１は、ほぼ水平に延びている。底板部４１に対して種々の要素が形成されている。
【００２０】
図３に示すように、前板部材５０は、基板部５１を有している。基板部５１は、横長の長方形状をなし、ほぼ鉛直平面状をしている。基板部５１には、横長のほぼ長方形状の開口部５２が形成されている。
前板部材５０には、奥方向に向かって突出する一対の取付棒材５８ａ，５８ｂが設けられている。図中右側の取付棒材５８ｂは、ベース部材４０の被取付部４８に取り付けられ、図中左側の取付棒材５８ａは上蓋部材８０の被取付部８８に取り付けられている。こうして、前板部材５０は、ベース部材４０等に対して取り付けられている。
【００２１】
前板部材５０（基板部５１）にはビス孔５９が形成されている。そして、基板部５１が遊技盤１１（そのおもて面）に対して密着する状態で、前板部材５０（入賞装置３０）は、ビス（図示省略）によって、遊技盤１１に対して取り付けられている。
【００２２】
開閉扉６０は、開口部５２に対応して横長の長方形状の板状をしており、開口部５２の位置に対応した位置に配設されている。そして、後に詳述するように、閉位置（図２（ａ），図５（ａ））と開位置（図２（ｂ），図５（ｂ））との間を変位することによって、開口部５２を開閉する。
開閉扉６０は、透明な合成樹脂によって形成されている。開閉扉６０のうち、閉位置（図２（ａ），図５（ａ））に位置する状態において外側に位置するととともに、開位置（図２（ｂ），図５（ｂ））に位置する状態において下側に位置する面を第１面６０Ａといい、その反対側の面を第２面６０Ｂということとする。
【００２３】
図３に示すように、ステージ形成部材７０は、ベース部材４０のうちの手前側部分に対して、その上方から取り付けらている。
ステージ形成部材７０には、ステージ部７２が形成されている（図２（ｂ）も参照）。そして、開閉扉６０が開位置に位置する際に、開口部５２を通って入賞装置３０内に入賞したパチンコ球は、ステージ部７２上を転動し、下流側に流れていく。
図３に示すように、ステージ部７２の下流側には、球通過センサ７５が設けられている。球通過センサ７５によって、ステージ部７２を転動したパチンコ球が検知され、入賞装置３０内に入賞したパチンコ球の数が認識される。
上蓋部材８０は、ベース部材４０及びステージ形成部材７０に対して、その上方から取り付けられている。
【００２４】
図２及び図３に示すように、開閉扉６０の左右の各縁部には、板状部６１ａ，６１ｂが形成されている。各板状部６１ａ，６１ｂは、開閉扉６０が開状態の際に、開閉扉６０内のパチンコ球が外部に溢れ出ることを防止する。
図３に示すように、各板状部６１ａ，６１ｂの下端部には、軸受け部６２ａ，６２ｂが形成されている。各軸受け部６２ａ，６２ｂには、軸孔６３ａ，６３ｂ（回動軸挿通孔）が形成されている。
各軸孔６３ａ，６３ｂには、回動軸６４ａ，６４ｂが、その軸回り方向に回転可能に挿通されている。
【００２５】
ベース部材４０には、左右一対の軸材支持部４２ａ，４２ｂが形成されている。各軸材支持部４２ａ，４２ｂは、ともに一対の溝状の軸材嵌合部４３ａａ，４３ａｂ，４３ｂａ，４３ｂｂを有している。
底板部４１のうちの一対の軸材嵌合部４３ｂａ，４３ｂｂの間には、切欠部４５ｂが形成されている。切欠部４５ｂは、軸受け部６２ｂ等に対応して形成されている。
また、図３に示すように、底板部４１のうちの一対の軸材嵌合部４３ａａ，４３ａｂの間の部分及びそれよりも奥側の部分には、切欠部４５ａが形成されている。切欠部４５ａは、軸受け部６２ａ及び板状部６１ａの下縁部等に対応して形成されている。
【００２６】
そして、各回動軸６４ａ，６４ｂが各軸材支持部４２ａ，４２ｂ（その各軸材嵌合部４３ａａ，４３ａｂ，４３ｂａ，４３ｂｂ）に、その軸回り方向に回動可能に嵌合され支持されている。その状態で、軸材嵌合部４３ａｂ，４３ｂａの一部は、ステージ形成部材７０によって塞がれている。
こうして、開閉扉６０は、開口部５２よりも下方に位置し（開口部５２の下側に位置し）ほぼ水平に（このパチンコ機の幅方向に）延びる回動軸６４ａ，６４ｂを中心に揺動（回動）可能に、ベース部材４０に取り付けられている。
【００２７】
その際、図３〜図５に示すように、軸受け部６２ｂ等は、切欠部４５ｂに対して非接触状態で嵌合されている。また、軸受け部６２ａ及び板状部６１ａの下縁部等（開閉扉６０が閉位置等に位置する状態において）は、切欠部４５ａに対して非接触状態で嵌合されている。
こうして、軸受け部６２ａ，６２ｂ及び板状部６１ａ等と底板部４１とは、干渉しないようにされている。
【００２８】
ベース部材４０に対して、ソレノイド９０が配設されている。ソレノイド９０は、ソレノイド収容箱９１に収容され、ソレノイド収容箱９１は、ベース部材４０に対して取り付けられている。
ソレノイド９０には、プランジャ９２が出没可能に設けられている。プランジャ９２は、圧縮スプリング９４によってソレノイド９０から突出する方向に付勢されており、ソレノイド９０が非励磁状態の際にプランジャ９２が突出状態であり、ソレノイド９０が励磁状態の際にプランジャ９２が没入状態である。プランジャ９２の先端部には、フランジ状の係合部９３が形成されている。
【００２９】
プランジャ９２と開閉扉６０との間には、回動部材９５が配設されている。
回動部材９５は、ほぼ円筒状の回動軸９６を有している。回動軸９６の両端部以外の部分は、当該両端部よりも大径状とされている（正確にいえば、大径状とされるとともにその一部は切り欠かれている）。
ベース部材４０には、回動軸９６の各端部に対応して、一対の溝状の回動軸嵌合部４６ａ，４６ｂが形成されている。ベース部材４０のうちの一対の溝状の回動軸嵌合部４６ａ，４６ｂの間には、回動軸９６のうちの両端部以外に対応して、孔部４７が形成されている。
【００３０】
図３〜図５に示すように、回動部材９５は、回動軸９６の両端部以外の部分が孔部４７に対して非接触状態で嵌合され、回動軸９６の各端部が回動軸嵌合部４６ａ，４６ｂに対して回動可能に嵌合されている。回動軸嵌合部４６ａ，４６ｂは、ステージ形成部材７０によって塞がれている。
こうして、図５に示すように、回動部材９５は、回動軸９６を中心に回動可能とされている。
【００３１】
図３に示すように、回動部材９５には、被係合部９７及び作用部９８が形成されている。両者は、回動軸９６を中心にほぼ９０度の角度を隔てて２方向に延びるように形成されている。
被係合部９７には、プランジャ９２の係合部９３が係合されている。このため、プランジャ９２が突出状態と没入状態との間を変位することによって、作用部９８（その先端部）が下降位置（図５（ａ））と上昇位置（図５（ｂ））との間を変位する。
【００３２】
図２（ｂ）等に基づいて前述したように、開閉扉６０の左右の各縁部には板状部６１ａ，６１ｂが形成されている。そして、左側の板状部６１ａは、右側の板状部６１ｂよりも大きく形成されており、左側の板状部６１ａには、切欠状の被係合部６５（被操作部）が形成されている。図５に示すように、被係合部６５には、回動部材９５の作用部９８が係合している。
このため、図５（ａ）に示すように、作用部９８が下降位置に位置する状態で、開閉扉６０は閉位置に位置する。一方、図５（ｂ）に示すように、作用部９８が上昇位置に位置する状態で、開閉扉６０は開位置に位置する。
【００３３】
図５に示すように、基板部５１（前板部材５０）の開口部５２のうちの上縁部における肉厚部分には、傾斜部５５が形成されている。傾斜部５５は、下方から上方に向かうにつれて手前側に向かうように、水平から傾斜している。
【００３４】
図２（ａ）及び図５（ａ）に示すように、開閉扉６０は、閉位置に位置する状態において、その基端部からその先端部に向かうにつれて、上方に向かうとともに手前側に向かうように鉛直から傾斜している。
また、開閉扉６０が閉位置に位置する状態において、その先端部が基板部５１とほぼ同一の奥行方向位置に位置している。そして、開閉扉６０の先端部（上端部）は、開口部５２の傾斜部５５と重なっている。
【００３５】
また、図２（ｂ）及び図５（ｂ）に示すように、開閉扉６０は、開位置に位置する状態において、その先端部が基板部５１よりも手前側に位置する。その際、開閉扉６０は、その基端部から先端部に向かうにつれて徐々に上方に向かうように若干傾斜している。
【００３６】
そして、開閉扉６０が閉位置に位置する状態において（図２（ａ），図５（ａ））、第１面６０Ａの側が、遊技者によって視認される。
一方、開閉扉６０が開位置に位置する状態において（図２（ｂ），図５（ｂ））、第２面６０Ｂが、遊技者によって視認される。
そのような位置関係になるように、各部材が配設されている。
【００３７】
図３及び図５等に示すように、開閉扉６０の第１面６０Ａには、表示部材１００が貼着されている。
表示部材１００は、シール状をなしている。すなわち、表示部材１００は、開閉扉６０に対応して横長の長方形状の面状をなしており、その裏面は粘着性を有している。
図４に示すように、表示部材１００は、ベース層１０２を有しており、そのおもて側には第１表示層１０４Ａが形成され、さらにそのおもて側にはコート層１０６が形成されている。
ベース層１０２の裏側には第２表示層１０４Ｂが形成され、さらにその裏側には接着剤層１０８が形成されている。
【００３８】
ベース層１０２は、透視性を有さない合成樹脂によって形成されている。
第１表示層１０４Ａは、インク等によって形成されており、第１表示１０５Ａとして、例えば「ＯＰＥＮ」という文字が表示されている。
コート層１０６は、透明な合成樹脂によって形成されている。このため、おもて面の側から、コート層１０６を通して、第１表示層１０４Ａの第１表示１０５Ａ（すなわち、例えば「ＯＰＥＮ」という文字）が視認され得る。
【００３９】
第２表示層１０４Ｂも、インク等によって形成されており、第２表示１０５Ｂとして、例えば「大当たり」という文字が表示されている。
接着剤層１０８によって、表示部材１００の裏面における粘着性（前述）が得られている。接着剤層１０８（その接着剤）は、少なくとも固化状態において、透明である。このため、裏面の側から、接着剤層１０８を通して、第２表示層１０４Ｂの第２表示１０５Ｂ（すなわち、例えば「大当たり」という文字）が視認され得る。
【００４０】
なお、ベース層１０２が透視性を有していないため、おもて面の側からコート層１０６を通して第１表示層１０４Ａの第１表示１０５Ａが視認される際に、第２表示層１０４Ｂの第２表示１０５Ｂは、ベース層１０２等を通して視認（透視）されることはない。
また、裏面の側から接着剤層１０８を通して第２表示層１０４Ｂの第２表示１０５Ｂが視認される際に、第１表示層１０４Ａの第１表示１０５Ａはベース層１０２等を通して視認（透視）されることはない。
すなわち、各表示層１０４Ａ，１０４Ｂの表示１０５Ａ，１０５Ｂは、逆の面から透けて見えることはなく、各面の側から両表示１０５Ａ，１０５Ｂが重なって視認されることがない。
【００４１】
そして、図３及び図５等に示すように、表示部材１００は、その裏面（接着剤層１０８）が開閉扉６０の第１面６０Ａに接触した状態で、その接着剤層１０８（接着剤）によって、開閉扉６０（その第１面６０Ａ）に対して貼着されている。
【００４２】
次に、このパチンコ機の入賞装置３０の作用について説明する。
図２（ａ）及び図５（ａ）に示すように、この入賞装置３０では、通常は、開閉扉６０は閉位置に位置しており、遊技者によって、開閉扉６０の第１面６０Ａの側に形成された第１表示１０５Ａ（「ＯＰＥＮ」という文字）が視認される。そして、この開閉扉６０が開くことに対する期待感が、遊技者に対して与えられる。
【００４３】
一方、図２（ｂ）及び図５（ｂ）に示すように、このパチンコ機が「当たり」の状態となって、この入賞装置３０の開閉扉６０が開位置に位置する状態になった場合には、遊技者によって、開閉扉６０及び接着剤層１０８（ともに前述したように透明である）を通して、第２表示１０５Ｂ（「大当たり」という文字）が視認される。
このため、このパチンコ機が実際に「当たり」となっていることと相まって、その第２表示１０５Ｂによって遊技者に対してより大きな興趣が与えられる。
【００４４】
なお、前述したように、表示部材１００のベース層１０２（図４）が透視性を有していないため、開閉扉６０が閉位置に位置する状態（図２（ａ）及び図５（ａ））で、第１表示１０５Ａに対して第２表示１０５Ｂが重なって視認されることはない。同様に、開閉扉６０が開位置に位置する状態（図２（ｂ）及び図５（ｂ））で、第２表示１０５Ｂに対して第１表示１０５Ａが重なって視認されることはない。
【００４５】
また、図３及び図５に基づいて前述したように、第１表示１０５Ａ及び第２表示１０５Ｂのための表示部材１００は、開閉扉６０の第１面６０Ａに貼着されており、図２（ｂ）及び図５（ｂ）に示すように、開閉扉６０が開位置に位置する状態においては、第１面６０Ａは下側に位置する。
そして、入賞装置３０に入ろうとする多数のパチンコ球は、開閉扉６０の第２面６０Ｂ（開位置に位置する状態で上側に位置する）の上を転動する。
このため、そのパチンコ球によって表示部材１００（その各表示１０５Ａ，１０５Ｂ）が損傷することもなく、長期間にわたって各表示１０５Ａ，１０５Ｂが視認され得る。
【００４６】
なお、上記のものはあくまで本発明の一実施形態にすぎず、当業者の知識に基づき種々の変更を加えた態様で本発明を実施できることはもちろんである。
【００４７】
例えば、表示部材１００のベース層１０２は、その全ての部分において透視性を有していないという必要はなく、両表示１０５Ａ，１０５Ｂが付されている部分においてのみ透視性を有していない、という態様でもよい。
【００４８】
また、開閉扉６０は、閉位置に位置する状態において必ずしも鉛直から傾斜していなくてもよい（すなわち、鉛直であってもよい）。また、基板部５１の開口部５２のうちの上縁部における肉厚部分に、必ずしも傾斜部５５（閉位置に位置する状態における開閉扉６０の先端部が重なる）が形成されていなくてもよい。
【図面の簡単な説明】
【００４９】
【図１】本発明の一実施形態のパチンコ機の正面図である。
【図２】本発明の一実施形態のパチンコ機の入賞装置を示す斜視図である。（ａ）は開閉扉が閉位置に位置する状態を示し、（ｂ）は開閉扉が開位置に位置する状態を示す。
【図３】本発明の一実施形態のパチンコ機の入賞装置を示す分解斜視図である。
【図４】本発明の一実施形態のパチンコ機の入賞装置の表示部材を示す図である。（ａ）は正面図であり、（ｂ）は背面図であり、（ｃ）は横断面図である。なお、（ｃ）において、表示部材（その各層）の厚みは誇張して記載してある。
【図５】本発明の一実施形態のパチンコ機の入賞装置を示す縦断面図である。（ａ）は開閉扉が閉位置に位置する状態を示し、（ｂ）は開閉扉が開位置に位置する状態を示す。
【符号の説明】
【００５０】
５１  基板部
５２  開口部
６０  開閉扉
６０Ａ  第１面
６０Ｂ  第２面
１００  表示部材
１０５Ａ  第１表示
１０５Ｂ  第２表示
【図１】
2006239161.tif 000003
【図２】
2006239161.tif 000004
【図３】
2006239161.tif 000005
【図４】
2006239161.tif 000006
【図５】
2006239161.tif 000007